(57)【要約】本発明の態様による接触防止キー付きコネクタは、ハウジングと、ハウジング内に形成された1つまたは複数のインタフェース通路と、ハウジング内に形成された1つまたは複数のコネクタ通路と、電気接点とを含む。各インタフェース通路は外周を有し、外周の少なくとも一部分は、隣接する外周の少なくとも一部分から内側または外側に間隔を置いて配置されている。各コネクタ通路は、1つのインタフェース通路に接続される。電気接点は、1つまたは複数のインタフェース通路の各々の中に位置し、各インタフェース通路への開口部から間隔を置いて配置され、コネクタ通路内に延在する。
2006508515.tif 000002
【特許請求の範囲】
【請求項１】
ハウジングと、
各々が外周を有する、ハウジング内に形成された1つまたは複数のインタフェース通路であって、外周の少なくとも一部分が、隣接する外周の少なくとも一部分から内側または外側に間隔をおいて配置された、1つまたは複数のインタフェース通路と、
各々が1つのインタフェース通路に接続されている、ハウジング内に形成された1つまたは複数のコネクタ通路と、
1つまたは複数のインタフェース通路の各々の中に位置し、各インタフェース通路への開口部から間隔を置いて配置され、コネクタ通路内に延在する電気接点
とを含むコネクタ。
【請求項２】
外周の複数の部分が、外周の、複数の部分のそれぞれに隣接する部分から内側または外側に間隔を置いて配置される、請求項1記載のコネクタ。
【請求項３】
一対のインタフェース通路をさらに含む、請求項1記載のコネクタ。
【請求項４】
一対のインタフェース通路の外周が、実質的に互いの鏡像である、請求項3記載のコネクタ。
【請求項５】
中間通路が、一対のインタフェース通路を連結する、請求項4記載のコネクタ。
【請求項６】
一対のインタフェース通路の外周が互いに異なる、請求項3記載のコネクタ。
【請求項７】
中間通路が、一対のインタフェース通路を連結する、請求項3記載のコネクタ。
【請求項８】
一対のインタフェース通路の外周が互いに実質的に同一である、請求項3記載のコネクタ。
【請求項９】
各インタフェース通路が接触防止障壁を形成するようなサイズを有する、請求項1記載のコネクタ。
【請求項１０】
電気接点が、インタフェース通路への開口部から内側に間隔を置いて配置される、請求項9記載のコネクタ。
【請求項１１】
インタフェース通路への開口部から内側に間隔を置いて配置されたインタフェース通路の部分が、開口部の所のインタフェース通路の構成とは異なる構成を有する、請求項1記載のコネクタ。
【請求項１２】
コネクタ・システムを製造する方法であって、以下の段階を含む方法：
各々が外周を有する、1つまたは複数のインタフェース通路であって、外周の少なくとも一部分が、隣接する外周の少なくとも一部分から内側または外側に間隔を置いて配置された、1つまたは複数のインタフェース通路をハウジング内に形成する段階と、
各々が1つのインタフェース通路に接続された1つまたは複数のコネクタ通路をハウジング内に形成する段階と、
各インタフェース通路への開口部から間隔を置いて配置され、コネクタ通路内に延在する電気接点を、1つまたは複数のインタフェース通路の各々の中に設ける段階
とを含む方法。
【請求項１３】
外周の複数の部分が、複数の部分のそれぞれに隣接する外周の部分から内側または外側に間隔を置いて配置されている、請求項12記載の方法。
【請求項１４】
1つまたは複数のインタフェース通路を形成する段階が、一対のインタフェース通路を形成する段階をさらに含む、請求項12記載の方法。
【請求項１５】
一対のインタフェース通路の外周が、実質的に互いの鏡像である、請求項14記載の方法。
【請求項１６】
中間通路が、一対のインタフェース通路を連結する、請求項15記載の方法。
【請求項１７】
一対のインタフェース通路の外周が互いに異なる、請求項14記載の方法。
【請求項１８】
中間通路が、一対のインタフェース通路を連結する、請求項14記載の方法。
【請求項１９】
一対のインタフェース通路の外周が互いに実質的に同一である、請求項14記載の方法。
【請求項２０】
各インタフェース通路が接触防止障壁を形成するようなサイズを有する、請求項12記載の方法。
【請求項２１】
電気接点を設ける段階が、電気接点をインタフェース通路への開口部から内側に間隔を置いて配置する段階をさらに含む、請求項20記載の方法。
【請求項２２】
1つまたは複数のインタフェース通路を形成する段階が、インタフェース通路への開口部から内側に間隔を置いて配置されたインタフェース通路の部分を、開口部の所のインタフェース通路の構成とは異なる構成を有するように形成する段階をさらに含む、請求項12記載の方法。
【発明の詳細な説明】
【技術分野】
【０００１】
本出願は、2002年11月27日に出願され、参照として本明細書に全体的に組み入れられる米国特許仮出願第60/429,977号の利益を主張する。
【０００２】
発明の分野
本発明は、概してコネクタに関し、特に接触防止キー付き電力コネクタに関する。
【背景技術】
【０００３】
背景
システムは、その内部の部品、モジュール、回路のような様々な構成要素のそれぞれの異なる入力に結合された様々な高電圧の電源、たとえば、24Vや、48Vや、96Vや、192Vの電源を必要とすることが多い。残念なことに、起こり得る1つの問題として、これらの高電圧電源のうちの1つが間違った構成要素に結合されることがある。この種の間違いが起こったとき、構成要素およびシステムに対する損傷は深刻である。
【発明の開示】
【０００４】
概要
本発明の態様による接触防止キー付きコネクタは、ハウジングと、ハウジング内に形成された1つまたは複数のインタフェース通路と、ハウジング内に形成された1つまたは複数のコネクタ通路と、電気接点とを含む。各インタフェース通路は外周を有し、外周の少なくとも一部分は、隣接する外周の少なくとも一部分から内側または外側に間隔を置いて配置されている。各コネクタ通路は、1つのインタフェース通路に接続される。電気接点は、1つまたは複数のインタフェース通路の各々の中に位置し、各インタフェース通路への開口部から間隔を置いて配置され、コネクタ通路内に延在する。
【０００５】
接触防止キー付きコネクタを製造する方法は、ハウジング内に1つまたは複数のインタフェース通路を形成する段階を含む。各インタフェース通路は外周を有し、外周の少なくとも一部分は、隣接する外周の少なくとも一部分から内側または外側に間隔を置いて配置されている。1つまたは複数のコネクタ通路がハウジング内に形成され、各コネクタ通路が1つのインタフェース通路に接続される。電気接点が、1つまたは複数のインタフェース通路の各々の中に設けられ、各インタフェース通路への開口部から間隔を置いて配置され、コネクタ通路内に延在する。
【０００６】
本発明は、特定の電源を特定の構成要素に適切に接続するためのキー付き構成を持つ電力コネクタを提供する。この電力コネクタでは、電圧、回路、または特定用途キー構成の多数の組合せを利用することができる。さらに、電力コネクタは、電気機器および電子機器の動作不能時間を最短にするのを助けるホット・プラギング機能を有する。さらに、本発明は、接触防止設計がより安全であり、空間上の制約を解消するために従来のプラグと比べてサイズが小さく、各構成要素に対する電源の取付けおよび取外しを容易にするために必要な挿入・引抜き力が弱い電力コネクタを提供する。
【０００７】
詳細な説明  
本発明の態様による接触防止キー付き電力コネクタ10(1)が図1〜7に示されている。電力コネクタ10(1)は、ハウジング12、一対のコネクタ通路14(1)および14(2)、一対のワイピング電気接点16(1)および16(2)、ならびに一対のインタフェース通路18(1)および18(2)を含んでいる。ただし、他の構成では他の数および種類の構成要素を使用してよい。本発明は、特定の電源を特定の構成要素に適切に接続できるようにするキー付き構成と、より安全な接続防止設計とを有する電力コネクタを提供する。
【０００８】
図1〜7を参照すると、ハウジング12は、4枚の側壁20(1)〜20(4)と、実質的に矩形の形状とを有している。ただし、ハウジング12は、他の数の側壁および他の形状を有してよい。この特定の態様では、ハウジング12は、空間的に余裕がないときに高密度アセンブリ上で使用できるように全体的な寸法が2.20W x 1.42W x 0.65Hになっている。ただし、ハウジングは、他の用途では他の寸法を有してよい。
【０００９】
一対の取付け穴22(1)および22(2)が、ハウジングの互いに向かい合う側壁20(1)および20(3)を貫通して延在し、電力コネクタ10を取り付ける際にねじやボルトのような一対の締結具（図示せず）と一緒に使用される。ただし、他の数の取付け穴およびコネクタを固定する他の方法を使用してよい。ハウジング12は、2つの取付け穴22(1)および22(2)を用いて、ワイヤまたはパネル取付け可能であると共に積重ね可能であってもよい。
【００１０】
図1および6を参照すると、一対のコネクタ通路14(1)および14(2)がハウジング12の一端24(1)まで延在するように形成されている。ただし、他の数の通路を使用してよい。コネクタ通路14(1)および14(2)はそれぞれ、電力ケーブル、回線、ワイヤなどのコネクタを受け入れるような形状をしている。コネクタ通路14(1)および14(2)はそれぞれ、各端部で半円部32に連結された平坦なベース30を含む外周を有している。ただし、コネクタ通路14(1)および14(2)の外周は他の形状を有してもよい。
【００１１】
図1〜7を参照すると、一対のインタフェース通路18(1)および18(2)は、ハウジング12の他の端部24(2)まで延在する。ただし、ハウジング12は、1つまたは3つ以上の通路のような他の数のインタフェース通路を有してよい。コネクタ通路14(1)は、ハウジング12の一方の端部24(1)から他方の端部24(2)までの通路を形成するようにインタフェース通路18(1)に接続されている。ただし、通路の他の構成を使用してよい。同様に、コネクタ通路14(2)は、ハウジング12の一方の端部24(1)から他方の端部24(2)までの他の通路を形成するようにインタフェース通路18(2)に接続されている。
【００１２】
図7を参照すると、雄雌無しフラット・ワイピング電気接点16(1)が、インタフェース通路18(1)内に配置され、コネクタ通路14(1)内に延在し、他の雄雌無しフラット・ワイピング電気接点16(2)が、インタフェース通路18(2)内に配置され、コネクタ通路14(2)内に延在する。ただし、他の種類の電気接点および他の構成を使用してよい。電気接点16(1)は、インタフェース通路16(1)と噛み合うことのできる構成要素への電力ケーブル、ワイヤ、リード線などのコネクタとの係合および結合に必要な通常の力が得られるようにインタフェース通路18(1)内のばねに固定され、このばねによって偏らされている。ただし、インタフェース通路18(1)内にコネクタを固定する態様の方法を使用してよい。同様に、電気接点16(2)は、インタフェース通路16(2)と噛み合うことのできる構成要素への電力ケーブル、ワイヤ、リード線のような他のコネクタとの係合および結合に必要な通常の力が得られるようにインタフェース通路18(2)内のばねに固定され、このばねによって偏らされている。ただし、インタフェース通路18(2)内にコネクタを固定する態様の方法を使用してよい。雄雌無しフラット・ワイピング電気接点16(1)および16(2)が示されているが、雄−雌接点構成のような他の数、種類、および構成の電気接点を使用してよい。
【００１３】
インタフェース通路18(1)および18(2)への開口部は、作業者の指が、導通している接点16(1)および16(2)にうっかり触れてしまうのを防止するために接触防止障壁を形成するようなサイズを有しており、すなわち、個人の指の外形寸法よりも小さくなっている。さらに、電気接点16(1)および16(2)は、やはり作業者の指が、導通している接点16(1)および16(2)のいずれかにうっかり触れてしまうのを防止するために各インタフェース通路18(1)および18(2)への開口部の内側に配置され、かつこの開口部から間隔を置いて配置されている。
【００１４】
インタフェース通路18(1)および18(2)はそれぞれ、概ね方形の構成を有している。ただし、インタフェース通路は、外周について他の形状および他の構成を有してよい。インタフェース通路18(1)は区間(section)34(1)〜34(4)を有し、インタフェース通路18(2)は区間36(1)〜36(4)を有している。ただし、インタフェース通路18(1)および18(2)は他の数および他の種類の区間を有してよい。
【００１５】
インタフェース通路18(1)に対して、区間34(1)は、実質的に真っ直ぐな部分36(2)に隣接してへこんだ部分36(1)を有している。区間34(2)は、実質的に真っ直ぐな部分36(2)とへこんだ部分36(4)との間に実質的に真っ直ぐな部分36(3)を有している。区間34(3)は、へこんだ部分36(4)とへこんだ部分36(6)との間に実質的に真っ直ぐな部分36(5)を有している。区間34(4)は、へこんだ部分36(6)と突き出た部分36(8)との間に実質的に真っ直ぐな部分36(7)を有している。
【００１６】
インタフェース通路18(2)は、インタフェース通路18(1)に関して説明したのと同じ数および同じ種類の区間および部分を有する、インタフェース通路18(1)の鏡像である。ただし、インタフェース通路18(1)とインタフェース通路18(2)は互いに構成を有しても同一の構成を有してもよい。
【００１７】
図8を参照すると、本発明の他の態様によるインタフェース通路18(3)および18(4)を有する接触防止キー付き電力コネクタ10(2)が示されている。接触防止キー付きコネクタ10(2)は、インタフェース通路18(3)および18(4)に関して以下に説明する点を除いて、接触防止キー付き電力コネクタ10(1)と同一である。
【００１８】
インタフェース通路18(3)および18(4)はそれぞれ、概ね方形の構成を有している。ただし、インタフェース通路は、外周について他の形状および構成を有してよい。インタフェース通路18(3)は区間38(1)〜38(4)を有し、インタフェース通路18(4)は区間40(1)〜40(4)を有している。ただし、インタフェース通路18(3)および18(4)は、他の構成では他の数および他の種類の部分を含む他の数および他の種類の区間を有してよい。
【００１９】
インタフェース通路18(3)に対して、区間38(1)は、実質的に真っ直ぐな部分42(2)に隣接してへこんだ部分42(1)を有している。区間38(2)は、実質的に真っ直ぐな部分42(2)と突き出た部分42(4)との間にへこんだ部分42(3)を有し、さらに突き出た部分42(4)とへこんだ部分42(6)との間に実質的に真っ直ぐな部分42(5)を有している。区間38(3)は、へこんだ部分42(6)とへこんだ部分42(8)との間に実質的に真っ直ぐな部分42(7)を有している。区間38(4)は、へこんだ部分42(8)と突き出た部分42(10)との間に実質的に真っ直ぐな部分42(9)を有している。
【００２０】
インタフェース通路18(4)に対して、区間40(1)は、へこんだ部分44(2)に隣接して実質的に真っ直ぐな部分44(1)を有している。区間40(2)は、へこんだ部分44(2)と実質的に真っ直ぐな部分44(4)との間に突き出た部分44(3)を有している。区間40(3)は、実質的に真っ直ぐな部分44(4)と実質的に真っ直ぐな部分44(6)との間にくぼんだ部分44(5)を有している。区間40(4)は、実質的に真っ直ぐな部分44(6)と実質的に真っ直ぐな部分44(8)との間にくぼんだ部分44(7)を有している。
【００２１】
図9を参照すると、本発明の他の態様によるインタフェース通路18(5)および18(6)を有する接触防止キー付き電力コネクタ10(3)が示されている。接触防止キー付きコネクタ10(3)は、インタフェース通路18(5)および18(6)に関して以下に説明する点を除いて、接触防止キー付き電力コネクタ10(1)と同一である。
【００２２】
インタフェース通路18(5)および18(6)はそれぞれ、概ね方形の構成を有している。ただし、インタフェース通路は、外周について他の形状および構成を有してよい。インタフェース通路18(5)は区間46(1)〜46(4)を有し、インタフェース通路18(6)は区間49(1)〜49(4)を有している。ただし、インタフェース通路18(5)および18(6)は、他の構成では他の数および他の種類の部分を含む他の数および他の種類の区間を有してよい。
【００２３】
インタフェース通路18(5)に対して、区間46(1)は、実質的に真っ直ぐな部分48(2)に隣接してへこんだ部分48(1)を有している。区間46(2)は、実質的に真っ直ぐな部分48(2)とへこんだ部分48(4)との間に実質的に真っ直ぐな部分48(3)を有している。区間46(3)は、へこんだ部分48(4)とへこんだ部分48(6)との間に実質的に真っ直ぐな部分48(5)を有している。区間46(4)は、へこんだ部分46(6)と突き出た部分46(8)との間に実質的に真っ直ぐな部分48(7)を有している。
【００２４】
インタフェース通路18(6)に対して、区間49(1)は、へこんだ部分50(2)に隣接して実質的に真っ直ぐな部分50(1)を有している。区間49(2)は、へこんだ部分50(2)と実質的に真っ直ぐな部分50(4)との間に突き出た部分50(3)を有している。区間49(3)は、実質的に真っ直ぐな部分50(6)と実質的に真っ直ぐな部分50(7)との間にくぼんだ部分50(5)を有している。区間49(4)は、実質的に真っ直ぐな部分50(6)と実質的に真っ直ぐな部分50(8)との間にくぼんだ部分50(7)を有している。区間49(4)は、実質的に真っ直ぐな部分50(8)とへこんだ部分50(10)との間に突き出た部分50(9)も有している。
【００２５】
図10を参照すると、本発明の他の態様によるインタフェース通路18(7)および18(8)を有する接触防止キー付き電力コネクタ10(4)が示されている。接触防止キー付きコネクタ10(4)は、インタフェース通路18(7)および18(8)に関して以下に説明する点を除いて、接触防止キー付き電力コネクタ10(1)と同一である。
【００２６】
インタフェース通路18(7)および18(8)はそれぞれ、概ね方形の構成を有している。ただし、インタフェース通路は、外周について他の形状および構成を有してよい。インタフェース通路18(7)は区間52(1)〜52(4)を有し、インタフェース通路18(7)は区間58(1)〜58(4)を有している。ただし、インタフェース通路18(7)および18(8)は、他の構成では他の数および他の種類の部分を含む他の数および他の種類の区間を有してよい。
【００２７】
インタフェース通路18(7)に対して、区間52(1)は、実質的に真っ直ぐな部分56(2)に隣接してへこんだ部分56(1)を有している。区間52(2)は、インタフェース通路18(7)と18(8)を連結する中間通路53によって分離された実質的に真っ直ぐな部分56(3)と実質的に真っ直ぐな部分56(4)を有している。区間52(3)は、実質的に真っ直ぐな部分56(4)とへこんだ部分56(6)との間に実質的に真っ直ぐな部分56(5)を有している。区間52(4)は、へこんだ部分56(6)と突き出た部分56(8)との間に実質的に真っ直ぐな部分56(7)を有している。
【００２８】
インタフェース通路18(8)に対して、インタフェース通路18(8)はインタフェース通路18(7)の鏡像である。具体的には、部分58(1)〜58(2)を有する区間54(1)は、部分56(1)〜56(2)を有する区間52(1)の鏡像である。部分58(3)〜58(4)を有する区間54(2)は、部分56(7)〜56(8)を有する区間52(4)の鏡像である。部分58(5)〜58(6)を有する区間54(3)は、部分56(5)および56(6)を有する区間52(3)の鏡像である。部分58(7)〜58(8)を有する区間54(4)は、部分56(3)〜56(4)を有する区間52(2)の鏡像である。
【００２９】
図11を参照すると、本発明の他の態様によるインタフェース通路18(9)および18(10)を有する接触防止キー付き電力コネクタ10(5)が示されている。接触防止キー付きコネクタ10(5)は、インタフェース通路18(9)および18(10)に関して以下に説明する点を除いて、接触防止キー付き電力コネクタ10(1)と同一である。
【００３０】
インタフェース通路18(9)および18(10)はそれぞれ、概ね方形の構成を有している。ただし、インタフェース通路は、外周について他の形状および構成を有してよい。インタフェース通路18(9)は区間60(1)〜60(4)を有し、インタフェース通路18(10)は区間62(1)〜62(4)を有している。ただし、インタフェース通路18(9)および18(10)は、他の構成では他の数および他の種類の部分を含む他の数および他の種類の区間を有してよい。
【００３１】
インタフェース通路18(9)に対して、区間60(1)は、へこんだ部分64(1)とへこんだ部分64(3)との間に実質的に真っ直ぐな部分64(2)を有している。区間60(2)は、へこんだ部分64(3)と実質的に真っ直ぐな部分64(5)との間に突き出た部分64(4)を有している。区間60(3)は、へこんだ部分64(6)とへこんだ部分64(8)との間に実質的に真っ直ぐな部分64(7)を有しており、へこんだ部分64(6)はまた、実質的に真っ直ぐな部分64(5)に隣接している。区間60(4)は、へこんだ部分64(8)と突き出た部分64(10)との間に実質的に真っ直ぐな部分64(9)を有している。
【００３２】
インタフェース通路18(10)はインタフェース通路18(9)と同一である。具体的には、区間62(1)は区間60(1)と同じであり、区間62(2)は区間60(2)と同じであり、区間62(3)は区間60(3)と同じであり、区間62(4)は区間60(4)と同じである。
【００３３】
図12を参照すると、本発明の他の態様によるインタフェース通路18(11)および18(12)を有する接触防止キー付き電力コネクタ10(6)が示されている。接触防止キー付きコネクタ10(6)は、インタフェース通路18(11)および18(12)に関して以下に説明する点を除いて、接触防止キー付き電力コネクタ10(1)と同一である。
【００３４】
インタフェース通路18(11)および18(12)はそれぞれ、概ね方形の構成を有している。ただし、インタフェース通路は、外周について他の形状および構成を有してよい。インタフェース通路18(11)は区間66(1)〜66(4)を有し、インタフェース通路18(12)は区間68(1)〜68(4)を有している。ただし、インタフェース通路18(11)および18(12)は、他の構成では他の数および他の種類の部分を含む他の数および他の種類の区間を有してよい。
【００３５】
インタフェース通路18(11)は、すでに図9を参照して説明したインタフェース通路18(9)と同一である。具体的には、区間66(1)は区間60(1)と同じであり、区間66(2)は区間60(2)と同じであり、区間66(3)は区間60(3)と同じであり、区間66(4)は区間60(4)と同じである。
【００３６】
インタフェース通路18(12)に対して、区間68(1)は、他のそれほどへこんでいない部分70(2)に隣接するへこんだ区間70(1)を有している。区間68(1)は、へこんだ部分70(2)とへこんだ部分70(4)との間に位置する実質的に真っ直ぐな部分70(3)も有している。区間68(2)は、へこんだ部分70(4)と実質的に真っ直ぐな部分70(6)との間に突き出た部分70(5)を有している。区間68(3)は、へこんだ部分70(7)とへこんだ部分70(9)との間に実質的に真っ直ぐな部分70(8)を有している。区間68(3)は、へこんだ部分70(9)に隣接する他のへこんだ部分70(10)も有している。区間68(4)は、へこんだ部分70(10)と突き出た部分70(12)との間に実質的に真っ直ぐな部分70(11)を有している。
【００３７】
図13を参照すると、本発明の他の態様によるインタフェース通路18(13)および18(14)を有する接触防止キー付き電力コネクタ10(7)が示されている。接触防止キー付きコネクタ10(7)は、インタフェース通路18(13)および18(14)に関して以下に説明する点を除いて、接触防止キー付き電力コネクタ10(1)と同一である。
【００３８】
インタフェース通路18(13)および18(14)はそれぞれ、概ね方形の構成を有している。ただし、インタフェース通路は、外周について他の形状および構成を有してよい。インタフェース通路18(13)は区間72(1)〜72(4)を有し、インタフェース通路18(14)は区間74(1)〜74(4)を有している。ただし、インタフェース通路18(13)および18(14)は、他の構成では他の数および他の種類の部分を含む他の数および他の種類の区間を有してよい。
【００３９】
インタフェース通路18(13)は、すでに図12を参照して説明したのと同じ数および種類の区間および部分を有するインタフェース通路18(12)の鏡像である。具体的には、区間72(1)は区間68(1)の鏡像であり、区間72(2)は区間68(4)の鏡像であり、区間72(3)は区間68(3)の鏡像であり、区間72(4)は区間68(2)の鏡像である。
【００４０】
インタフェース通路18(14)はインタフェース通路18(9)と同一である。具体的には、区間74(1)は区間60(1)と同じであり、区間74(2)は区間60(2)と同じであり、区間74(3)は区間60(3)と同じであり、区間74(4)は区間60(4)と同じである。
【００４１】
図14を参照すると、本発明の他の態様によるインタフェース通路18(15)および18(16)を有する接触防止キー付き電力コネクタ10(8)が示されている。接触防止キー付きコネクタ10(8)は、インタフェース通路18(15)および18(16)に関して以下に説明する点を除いて、接触防止キー付き電力コネクタ10(1)と同一である。
【００４２】
インタフェース通路18(15)および18(16)はそれぞれ、概ね方形の構成を有している。ただし、インタフェース通路は、外周について他の形状および構成を有してよい。インタフェース通路18(15)は区間76(1)〜76(4)を有し、インタフェース通路18(16)は区間78(1)〜78(4)を有している。ただし、インタフェース通路18(15)および18(16)は、他の構成では他の数および他の種類の部分を含む他の数および他の種類の区間を有してよい。
【００４３】
インタフェース通路18(15)は、すでに図11を参照して説明したインタフェース通路18(9)と同一であり、区間60(1)、60(3)、および60(4)に対応する区間76(1)、76(3)、および76(4)を有している。ただし、区間76(2)は区間60(2)と異なっている。区間76(2)は、インタフェース通路18(15)とインタフェース通路18(16)を連結する中間通路77によって分離された実質的に真っ直ぐな部分80(1)を有している。
【００４４】
インタフェース通路18(16)は、すでに図11を参照して説明したインタフェース通路18(9)と同一であり、区間60(1)〜60(3)に対応する区間78(1)〜78(3)を有している。ただし、区間78(4)は区間60(4)と異なっている。区間78(4)は、インタフェース通路18(15)とインタフェース通路18(16)を連結する中間通路77によって分離された実質的に真っ直ぐな部分82(1)を有している。
【００４５】
上述の例示的な態様は、インタフェース通路18(1)〜18(6)の外周または周囲の形状の様々な異なる組合せを示している。インタフェース通路の外周についてのこれらのキー付き構成によって、特定の電源を特定の構成要素に適切に接続できるようにするシステムを作製することができる。
【００４６】
通路内の他の構成を他のキー付き構成組合せに使用することができ、したがって、他の電圧、回路、または特定用途についての組合せが倍増する。
【００４７】
図1〜7を参照して接触防止キー付き電力コネクタ10(1)の動作について説明する。電源からの入力コネクタをシステムに接続する際、入力コネクタは、特定の外周を持つインタフェース通路にしか合わず、またそのようなインタフェース通路にしか接続されない特定の形状を有する。この特定の態様では、入力コネクタの形状がインタフェース通路18(1)および18(2)の外周の形状に合っている場合、入力コネクタは、電源に結合されたコネクタ通路14(1)および14(2)内のコネクタに、それぞれ電気接点16(1)および16(2)を介して結合される。
【００４８】
入力コネクタは、インタフェース通路18(1)および18(2)の外周の構成と同じ構成を有さない場合、インタフェース通路18(1)および18(2)に嵌らず、したがって、電気接点16(1)および16(2)に結合することはできない。その結果、誤って結合された電源によって起こるシステムへの損傷を回避することができる。
【００４９】
本発明では、電気接点16(1)および16(2)は、インタフェース通路18(1)および18(2)内に、かつインタフェース通路18(1)および18(2)への開口部から間隔を置いて配置され、インタフェース通路18(1)および18(2)の寸法は、作業者による偶発的な接触を防止する接触防止が可能な寸法になっている。
【００５０】
接触防止キー付き電力コネクタ10(2)〜10(8)の動作は、入力コネクタおよびインタフェース通路18(3)〜18(16)の特定の構成に応じて、異なるインタフェース通路18(3)〜18(16)に異なる入力コネクタを合わせることができ、入力コネクタが他のインタフェース通路18(3)〜18(6)に嵌るのが防止されることを除いて、接触防止キー付き電力コネクタ10(1)の動作と同一であるため、接触防止キー付き電力コネクタ10(2)〜10(8)の動作については説明しない。
【００５１】
本発明の基本概念について説明したが、当業者には、前記の詳細な開示が一例としてのみ与えられており、制限的なものではないことが明らかになろう。本明細書では明示的に述べられていないが、当業者には様々な変更、改良、および修正が考えられよう。このような変更、改良、および修正は、本明細書によって示唆されるものであり、本発明の要旨および範囲内である。したがって、さらに、引用した処理要素またはシーケンスの順序、または数、文字、もしくは他の記号の使用は、特許請求の範囲に明示されないかぎり、請求された処理を任意の順序に制限するものではない。したがって、本発明は、特許請求の範囲およびその均等物によってのみ制限される。
【図面の簡単な説明】
【００５２】
【図１】接触防止キー付き電力コネクタの第1の態様の斜視図である。
【図２】接触防止キー付き電力コネクタの第1の態様の平面図である。
【図３】接触防止キー付き電力コネクタの第1の態様の底面図である。
【図４】接触防止キー付き電力コネクタの第1の態様の右側面図である。
【図５】接触防止キー付き電力コネクタの第1の態様の左側面図である。
【図６】接触防止キー付き電力コネクタの第1の態様の背面図である。
【図７】接触防止キー付き電力コネクタの第1の態様の正面図である。
【図８】接触防止キー付き電力コネクタのインタフェース通路の第2の態様の正面図である。
【図９】接触防止キー付き電力コネクタのインタフェース通路の第3の態様の正面図である。
【図１０】接触防止キー付き電力コネクタのインタフェース通路の第4の態様の正面図である。
【図１１】接触防止キー付き電力コネクタのインタフェース通路の第5の態様の正面図である。
【図１２】接触防止キー付き電力コネクタのインタフェース通路の第6の態様の正面図である。
【図１３】接触防止キー付き電力コネクタのインタフェース通路の第7の態様の正面図である。
【図１４】接触防止キー付き電力コネクタのインタフェース通路の第8の態様の正面図である。
【図１】
2006508515.tif 000003
【図２】
2006508515.tif 000004
【図３】
2006508515.tif 000005
【図４】
2006508515.tif 000006
【図５】
2006508515.tif 000007
【図６】
2006508515.tif 000008
【図７】
2006508515.tif 000009
【図８】
2006508515.tif 000010
【図９】
2006508515.tif 000011
【図１０】
2006508515.tif 000012
【図１１】
2006508515.tif 000013
【図１２】
2006508515.tif 000014
【図１３】
2006508515.tif 000015
【図１４】
2006508515.tif 000016
【国際調査報告】
2006508515.tif 000017